(57)【要約】  本発明は被清掃物の表面に当接して拭き取り清掃に利用でき、清掃部となる清掃用シートが使い捨て式で保持部材から取り外し可能に取り付けられる清掃具及び該清掃具を構成する保持部材に関するものである。保持部材（１）は、清掃具用シートを保持するための先端側が二股状に分岐してなる二本の平板状の脚部（２）と、該脚部の根元から後方に設けられた柄部材（３）とから構成される。二本の平板状の脚部（２）は、各脚部材（２Ｒ、２Ｌ）の幅方向の中央部となる内側が高く、幅方向の両端部となる外側が低くなるように、角度を持って形成されている。【特許請求の範囲】
【請求項１】
清掃具用シートを保持するための先端側が二股状に分岐してなる二本の平板状の脚部と、該脚部の根元から後方に設けられた柄部材とから構成される保持部材において、前記二本の平板状の脚部の内側が高く外側が低くなるように角度を持って形成されていることを特徴とする清掃具を構成する保持部材。
【請求項２】
脚部の先端部が平坦に角度を持たずに形成されており、該脚部の中間部が角度を持って形成されている請求項１記載の保持部材。
【請求項３】
脚部に抜け防止用の突起が設けられている請求項１記載の保持部材。
【請求項４】
脚部が弾性を有する材料から形成されている請求項１記載の保持部材。
【請求項５】
基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合しておらず、基材シートの繊維束の積層面と反対面に、保持部材の脚部を挿通して保持するための空間からなる保持部が形成されている保持シートが接合されている清掃具用シートと、先端側が二股状に分岐してなる二本の平板状の脚部と、該脚部の根元から後方に設けられて手で把持するため柄部材とから構成され、二本の平板状の脚部の内側が高く外側が低くなるように角度を持って形成されている保持部材とから構成されることを特徴とする清掃具。
【発明の詳細な説明】
【技術分野】
【０００１】
本発明はごみの拭き取り清掃に用いられ、把持用の柄部材と清掃用シートを保持するための脚部とからなる保持部材と、該保持部材に取り付けられる交換可能或いは使い捨て可能な清掃用シートとから構成される清掃具に関する。
【背景技術】
【０００２】
従来、タンス等の家具、パソコンや照明器具等の電気製品、建物内部の壁、敷居、鴨居等についた埃を拭き取って取り除くために用いられる清掃具として、木綿等の撚り糸を用いて刷毛部を形成し、該刷毛部を保持する保持部材とからなる手持式モップが用いられていた。【０００３】
しかし、この種の清掃具は製造コストが高いために使い捨て式として用いることができなかった。そこで近年、刷毛部に安価な清掃用シートを用いて使い捨てとした清掃具が提案されている。【０００４】
このような刷毛部を使い捨てとした清掃具として、軟質なシートで細長く形成された複数の短冊片と繊維束とから形成された清掃用シートと、該清掃用シートを保持するための二股に分かれた挿入部と把持部からなる保持具とから構成されている清掃具が公知である（例えば特許文献1参照）。【０００５】
この特許文献１に記載された清掃具は、清掃用シートを保持するために、該清掃用シートの上面に、基材シートと保持シートとが接合線とで接合され、該基材シートと該保持シートとの間に前記保持具の二股に分かれた挿入部を挿入して保持可能な二つの平行な保持空間が形成されている。また保持具は、前記保持空間に挿入される二つの挿入部が平板状に形成され、水平に配置されている。
【特許文献１】特開２００２−３６９７８３号公報
【０００６】
上記特許文献１に記載の清掃具は、従来の木綿等の撚り糸を用いて刷毛部を構成してなる嵩高いモップ状の清掃具と比較すると、シート体から形成された平面的な清掃用シートを用いることから、清掃は面で行われることになる。このように平面で清掃が行われた場合、ごみは平面的な繊維の間でしか保持されず、平らなシートの表面のみしか清掃に利用されないことになり、清掃用シートの全体を効率良く利用して清掃を行うことはできなかった。【０００７】
つまり、清掃用シートの表面のみではなく、繊維を嵩高くして繊維全体でゴミを捕捉して保持するようにしたいが、平面的な清掃用シート及び水平な平板状の挿入部を使用している限り、従来のモップ状の清掃具のように嵩高く形成するのは困難であった。【０００８】
本発明は上記課題を解決するためになされたものであり、清掃用シートの全体を利用して、塵や埃等の各種ごみを効率良く捕捉し保持性能に優れた清掃具及び清掃具を構成する保持部材を提供することを目的とする。
【発明の開示】
【０００９】
本発明は、使い捨て或いは交換可能な清掃具用シートを取り付けて保持し、手持式清掃具を構成する保持部材である。本発明保持部材は、基材シートの下面側に繊維束等を積層し清掃部を形成し上面側に保持シートを積層して保持部を形成してなる清掃具用シートを保持するのに用いられる。保持部材は、清掃具用シートの保持部に挿通して保持するための、先端側が二股状に分岐してなる二本の平板状の脚部と、該脚部の根元から後方に設けられて手で把持するため柄部材とから構成される。本発明保持部材は、前記二本の平板状の脚部の内側が高く外側が低くなるように角度を持って形成され、幅方向の断面が幅方向の中央が高く両端側が低くなる、いわゆる断面ハ字状に形成されていることを特徴とする。
【００１０】
本発明の保持部材は、脚部の長手方向の先端部が平坦で角度を持たないように形成し、該脚部の長手方向の中間部が角度を持つように形成することが好ましい。
【００１１】
本発明の保持部材は、脚部の上面又は下面に抜け防止用の突起を設けることが好ましい。
【００１２】
本発明の保持部材は、脚部が弾性を有する材料から形成することが好ましい。
【００１３】
本発明の清掃具は、基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合しておらず、基材シートの繊維束の積層面と反対面に、保持部材の脚部を挿通して保持するための空間からなる保持部が形成されている保持シートが接合されている清掃具用シートと、先端側が二股状に分岐してなる二本の平板状の脚部と、該脚部の根元から後方に設けられて手で把持するため柄部材とから構成され、二本の平板状の脚部の内側が高く外側が低くなるように角度を持って形成されている保持部材とから構成されることを特徴とする。
【００１４】
本発明保持部材は、二本の平板状の脚部が内側が高く外側が低くなるように角度を持って形成されているから、従来の平板状の脚部が水平に形成された保持部材と比較して、清掃具用シートの保持部に脚部を挿入して清掃具用シートを保持して清掃具を構成した場合に、清掃具用シートが脚部の形状に沿って角度を持って保持部材に取り付けられるから、平面的な清掃用シートは幅方向の中央が高く両端部が低く形成された状態で清掃具を構成することになる。
【００１５】
その結果、保持具に取り付けられた状態の清掃具用シートは、平面的なものではなく、嵩高い状態に形成されるから、清掃用シートの繊維表面のみならず繊維全体を利用して塵や埃等の各種ごみを効率良く捕捉することが可能であり、しかもその保持性能に優れている。
【００１６】
また本発明の保持部材は、脚部の先端部を角度を付けずに水平に形成した場合は、清掃具用シートの保持部に脚部を挿入する際に、容易に挿入を行うことができる。そして脚部の先端部を挿入した後の中間部は、角度を持って形成されているから、清掃具用シートの全体の形状は、幅方向の中央部が高くなり幅方向の両端部が低く形成されることになって、全体の嵩高い状態が維持される。
【００１７】
また本発明の保持部材において、脚部に抜け防止用の突起を設けた場合は、清掃具用シートの保持部に脚部を挿入した後で、脚部が抜け難くなるから、保持部材から清掃具用シートが簡単に外れたりせずに、清掃作業を確実に行うことができる。
【００１８】
また本発明の保持部材において、脚部が弾性を有する材料から形成した場合、狭い部分に清掃具を挿入することが可能となる。すなわち、清掃具用シートの保持部に脚部を挿入した状態では、清掃具用シートの全体の形状は、幅方向の中央部が高く両端部が低く形成され嵩高く形成されている。この状態から被清掃物品の表面に清掃具の清掃具用シートの清掃部側を強く押し付けると、角度を持って形成されていた脚部が弾性によって撓み水平な状態に変形し清掃具用シートが平面的な形状になって、清掃具用シートと保持部材の脚部の部分の厚みが薄い状態が形成される。
【００１９】
このように清掃具の清掃部分の厚みが薄い状態になると、保持部材の脚部に取り付けられた清掃具用シートが狭い隙間等に容易に入り込んで清掃を行うことが可能となる。
【００２０】
そして、清掃具の脚部の部分の被清掃物品に対する押し付けを元に戻せば、脚部はその弾性により水平状態から角度を持った元の形状に戻り、また嵩高い状態の清掃具の状態となる。
【００２１】
本発明の清掃具は、清掃具用シートが、基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合していないことから、繊維束の繊維を大きく毛羽立たせて繊維束の部分を嵩高く形成することができる。清掃具用シートの繊維束の流れ方向両端部が下方に垂れ下がり、繊維両端の繊維の先端部分が基材シートから遊離して自由に動くため、塵や埃等の各種ごみの捕捉性能及びその保持性能に優れている。
【００２２】
そして、清掃具用シートが、基材シートの繊維束の積層面と反対面に、保持部材の脚部を挿通して保持するための空間からなる保持部が形成されている保持シートが接合され、二本の平板状の脚部の内側が高く外側が低くなるように角度を持って形成されている保持部材を用いることから、保持部材の脚部を清掃用シートの保持部に挿入しただけの状態で、特に繊維束の繊維を毛羽立たせる等の操作を加えることなく、繊維束の幅方向端部が下に垂れ下がり嵩高く立体的な状態を容易に作り出すことができる。
【図面の簡単な説明】
【００２３】
【図１】図１は本発明の保持部材の一例の外観を示す斜視図である。
【図２】図２は図１の保持部材の正面図である。
【図３】図３は図１の保持部材の側面図である。
【図４】図４は図１のA−A線断面を示す断面図である。
【図５】図５は図１のＢ−Ｂ線断面を示す断面図である。
【図６】図６は図１のＣ−Ｃ線断面を示す断面図である。
【図７】図７は図１の保持部材の脚部を示す底面図である。
【図８】図８は本発明の清掃具に用いられる清掃具用シートの一例を示す平面図である。
【図９】図９は図８のＤ−Ｄ線断面を示す断面図である。
【図１０】図１０は図８の清掃具用シートの底面図である。
【図１１】図１１は図８のE−E線断面を示す端面図である。
【図１２】図１２は図８の清掃具用シートに用いられる保持シートの平面図である。
【図１３】図１３は図１２のＧ−Ｇ線断面を示す端面図である。
【図１４】図１４は清掃具用シートの製造工程の一部を示す斜視図である。
【図１５】図１５は図１の保持部材に図８の清掃具用シートを取り付けてなる清掃具の外観を示す斜視図である。
【図１６】図１６は図１５のＨ−H線断面を示す断面図である。
【発明を実施するための最良の形態】
【００２４】
本発明の清掃具を構成する保持部材１は、図１〜図３に示すように、先端側が二股状に分岐してなる脚部２と、該脚部２の根元から後上方に設けられ手で把持するための柄部材３とから構成される。図１に示す保持部材１では、柄部材３は脚部２の柄部材結合部５に支持部４を中心に回動可能に取り付けられている。保持部材１は、図３に示すように、柄部材３を支持部４を中心として後端側を下方（矢印Ｓ方向）に約１８０°回転させることが可能であり、保持部材１の長手方向を二つに折り畳み可能に形成されている。【００２５】
図１及び図２に示すように脚部２は、二本の平板状の脚部材２Ｒ、２Ｌが、一定間隔を持って平行に配置され、根元で一本の部材に形成されている。【００２６】
図１に示す保持部材１の二本の脚部材２Ｒ、２Ｌの先端部ａ、中間部ｂ、後端部ｃにおけるそれぞれの幅方向の断面形状は、図４〜図６に示す通りである。二本の脚部材２Ｒ、２Ｌの先端部ａは、図４に示すように、水平の状態に形成されている。また長手方向の中間部ｂは図５に示すように、幅方向の中央側が高く両端側が低くなるように、断面「ハ」の字状に、角度θを持って形成されている。また長手方向の後端部ｃは図６に示すように、先端部ａと同様に角度を持たない水平の状態に形成されている。【００２７】
脚部材２Ｒ、２Ｌの先端部ａと中間部ｂの間を起点として水平状態から徐々に角度が付くように形成されている。また脚部材２Ｒ、２Ｌの中間部ｂと後端部ｃとの間で角度が水平になるように形成されている。すなわち、脚部材２Ｒ、２Ｌの中間部ｂは、その長手方向のほぼ中央部が、最も角度が付いた状態であり、そこから先端方向或いは後端方向に向かって徐々に角度が小さくなるように形成されている。【００２８】
図５に示すように脚部材２Ｒ、２Ｌの角度θは、１０〜７０°に形成するのが好ましく、より好ましくは２０〜４５°である。この範囲であると、清掃具用シートの保持部に脚部２を挿入した場合、挿入が容易であり、確実に清掃具用シートを嵩高い状態に保持することができる。【００２９】
なお、本発明において、保持部材の「前後」とは、長手方向の前後を意味し、図３に示す保持部材１において、左側が前側であり右側が後側である。また保持部材の幅方向とは、短手方向のことであり、図２に示す保持部材において、左右方向を意味する。【００３０】
図１〜３に示すように、保持部材１は脚部材２Ｒ、２Ｌの上側に抜け防止用の凸部６が設けられている。凸部６は各脚部材２Ｒ、２Ｌの長手方向に所定間隔を持って５個所に設けられている、また凸部６の形状は、長手方向の断面形状が三角形に形成され、この三角形の角度が脚部２の先端側の角度が小さく後端側の角度が大きく形成されている（図３参照）。【００３１】
また図７に示すように、脚部材２Ｒ、２Ｌの裏面側には、抜け防止用の凸部７が、各脚部材の中間部ｃに二つずつ所定間隔をもって設けられている。この裏面側の凸部７の形状は、前記脚部材２Ｒ、２Ｌの上面側の凸部６と同様に、長手方向の断面形状が三角形に形成され、三角形の角度が先端側の角度が小さく後端側の角度が大きく形成されている。【００３２】
このように脚部材２Ｒ、２Ｌは、凸部６、７が設けられていることで、清掃具用シートの保持部に挿入する場合は凸部が保持部に引っかからずにスムーズに挿入できると共に、保持部２２から引き抜かれる場合には、凸部６、７が保持部のシートに引っかかり、清掃を行っている最中に清掃具用シートｌが抜けてしまうことを防止できる。【００３３】
また図７に示すように、脚部材２Ｒ、２Ｌの裏面側には、脚部材２Ｒ、２Ｌの周囲を下方に突出させてなる補強用のリブ９が設けられている。【００３４】
本発明の保持部材１の柄部材３は、図１に示すように、後端側に把持部９が設けられている。把持部９は手で握り易くなるように、水平方向外側に膨出するように形成されている。また把持部９の中央部は肉抜きした空隙部１０として形成されている。【００３５】
また図３に示すように柄部材３は、後端側が薄肉に形成されている。【００３６】
本発明の保持部材1の材料としては、プラスチック、金属、木材などの各種の材料を用いることができるが、軽量、安価な点からプラスチックが好ましい。プラスチックを材料として用いる場合、ポリエチレン系樹脂やポリプロピレン系樹脂等のポリオレフィン系樹脂が、成形が容易である点から好ましい。【００３７】
また保持部材1の脚部２は、弾性を有する材料から形成するのが好ましい。ここで弾性とは、保持部材１を手で持って、脚部２を平らな場所に押しつけた場合に、角度を持った脚部材２Ｒ、２Ｌの中間部ｂが水平な状態に変形し、押し付けた力を取り去ると、元の形状に戻るような弾性を意味する。このような弾性を有する材料は、ポリエチレン系樹脂やポリプロピレン系樹脂等のポリオレフィン系樹脂、あるいはその他のプラスチックなどから適宜選択することができる。【００３８】
本発明の清掃具１１は、図１５に示すように、上記保持部材１と、該保持部材１の脚部２を保持可能に形成された保持部２２を有する清掃具用シート２０とから構成される。【００３９】
清掃具１１を構成する清掃具用シート２０は、図８〜図１１に示すように、不織布シート等からなる矩形状の基材シート１２の片面側に、繊維が多数集積されてシート様に形成された繊維束１３が積層され、基材シート１２の繊維束１３の積層面と反対面に、前記保持部材１の脚部２を挿通して保持するための空間からなる袋状の保持部２２が形成されている保持シート２１が積層されている。【００４０】
清掃具用シート２０の繊維束１３は、図９〜図１１に示すように、基材シート１２側に積層された細い繊維からなる繊維束１３ａと、該繊維束１３ａの外側に積層された腰のある太い繊維からなる繊維束１３ｂとから構成されている。太い繊維からなる繊維束１３ｂを構成する繊維は、延伸ポリプロピレン製のテープを延伸方向に細長くなるように裂いて形成した繊維を寄せ集めたものから構成されている。腰のある太い繊維からなる繊維束１３ｂは、流れ方向の中央部が矩形状の基材シート１２の中央部であって矩形状の一端縁１２ｃから他の端縁１２ｄまでの一本の連続的な中央線上に設けた中央接合部１４（図１０、図１１参照）にて接合されている。【００４１】
繊維束１３ａの細い繊維としては０．０１〜０．０５mmのものが好ましい。また繊維束１３ａの繊維の太さは１〜１８デニールが好ましく、繊維束１３ａの坪量は、繊維の太さが２デニールの場合、５〜３０ｇ／ｍ2が好ましい。また繊維束１３ｂの太い繊維としては、細い繊維よりも太ければ良いが、０．０６mm〜０．３mmの太さのものが好ましい。【００４２】
繊維束１３ａ、１３ｂは、多数の繊維を方向が同じになるように並べ重ね、各繊維がばらけない程度に繊維が纏められている繊維の集合体である。繊維束１３ａ、１３ｂは、シート様に形成されシート様繊維束として取り扱われる。繊維束１３ａ、１３ｂは、例えば綿、毛等の天然繊維、ポリエチレン、ポリプロピレン、ポリエチレンテレフタレート、ナイロン、ポリアクリル等の合成繊維、芯鞘型繊維、海島型繊維、サイドバイサイド型繊維等の複合繊維等が用いられる。また繊維束１３ａ、１３ｂに用いられる繊維は、機械捲縮、熱捲縮等の捲縮したものでもよい。また繊維束１３ａ、１３ｂは、ポリエチレン、ポリプロピレン、ナイロン、ポリエステル、レーヨン等から製造される、一般的にトウと呼ばれる長繊維束を用いることができる。【００４３】
清掃具用シート２０の細い繊維束１３ａは、中央接合部１４にて接合されていると共に、前記中央接合部１４と平行な両端縁１２ａ、１２ｂとの間の平行線上に、断続的に左右に交互にジグザグ状に点々と形成された点状接合部１７において接合しており、繊維束１３の繊維の流れ方向両端３１ａ、３１ｂが基材シート１２に接合せずに遊離している（図１１参照）。また繊維束１３ｂの繊維の流れ方向の長さは、繊維束１３aと同じ長さに形成されている。【００４４】
図８〜図１１に示す手持式清掃具用シート２０は、基材シート１２の中央接合部１４と平行な両端縁１２ａ、１２ｂから点状接合部１７の近傍まで、繊維束１３の繊維の流れ方向と同じ方向に切り欠いてなる多数の切り込み２５が設けられている。また清掃具用シート２０は、基材シート１２、繊維束１３ａ及び保持シート２１が同系色により形成されている。【００４５】
清掃具用シート２０を構成する基材シート１２の材質は、熱融着性を有する不織布シートが好ましく用いられる。基材シート１２は、不織布を用いる場合は坪量が１０〜２００g/m2が好ましい。【００４６】
不織布シートを構成する短繊維(繊維体)は、繊維束１３と熱融着性を有する熱融着性短繊維が好ましい。このような熱融着性短繊維としては、ポリプロピレン、ポリエチレン、ポリエチレンテレフタレート等の繊維、これらを鞘芯型やサイドバイサイド型の複合繊維としたものが用いられる。【００４７】
基材シート１２として用いられる不織布シートは、例えば、スパンレース不織布、スパンボンド不織布、サーマルボンド不織布、エアスルーボンド不織布、ポイントボンド不織布等が挙げられる。好ましいのは、スパンレース不織布、サーマルボンド不織布等である。不織布シートは、一枚のシートから構成してもよいし、同種又は異なる種類のシートを複数枚積層して構成してもよい。【００４８】
また清掃具用シート２０は、基材シート１２又は／及び繊維束１３ａ、１３ｂに、ごみの捕捉能力を高めるために、流動パラフィン等の鉱物油、シリコンオイル、非イオン系界面活性剤を含む油剤等を付着させてもよい。【００４９】
清掃具用シート２０の保持シート２１は、図１２及び図１３に示すように、熱融着性を有する二枚の不織布２１ａ、２１ｂを積層し、挿入口２３を除く三辺及び中央部をヒートシールして接合したシール部２８を形成してなり、二枚の不織布２１ａ、２１ｂの間に、保持部材１の二本の脚部２を夫々挿通して保持するための空間からなる袋状の保持部２２が形成されている。【００５０】
保持部２２は、脚部２の大きさに応じた各保持部として、開口部を除いた三方がシールされた二つの袋状に形成されている。なお各保持部は、少なくとも側面側がシールされていればよく、先端はシールせずに開口した状態でもよい。【００５１】
図１３に示すように、保持シート２１の挿入口２３の部分は、二枚の不織布２１ａ、２１ｂどうしがシールされずに開口した状態に形成されている。保持シート２１は、一枚の不織布を二つ折りし、シール部２８をヒートシールしてなる。この挿入口２３の部分の上側の不織布２１ａは、下側の不織布２１ｂに接合しない耳片２９として形成されている。この耳片２９の端部側には、挿入部２３の目印となる着色部２４が設けられている。耳片２９が設けられていると保持部材１の脚部２の挿通を容易に行うことができる。【００５２】
図８〜図１１に示す清掃具用シート２０の製造は、まず細い繊維の繊維束１３ａを基材シート１２に積層し、中央接合部１４及び点状接合部１７を融着して接合した後、太い繊維の繊維束１３ｂを中央接合部１４で接合する。この接合手段としては、熱融着、超音波融着、接着、逢着等の手段が用いられる。更に図１４に示すように、基材シート１２の繊維束１３と反対面の中央部にホットメルト接着剤２７等の接着剤を塗布した後、保持シート２１を積層し、加熱、加圧等の手段により接合することで、清掃具用シート２０が得られる。【００５３】
清掃具１１を構成するために、清掃具用シート２０を保持部材１に取り付けるには、清掃具用シート２０の保持シート２１の挿入口２３から、保持部材の脚部２を挿入して保持部２２に保持する。【００５４】
脚部２を保持部２２挿入する際、脚部材２Ｌ、２Ｒの先端部aは、水平に形成されているから、保持部２２への挿入は容易に行うことができる。【００５５】
そして脚部２の中間部ｂ、後端部cを全部挿入する（図１５参照）。このとき脚部２の中間部bにおける幅方向の断面形状が図１６に示すように、脚部２の形状に対応して、幅方向の中央側が高く両端側が低くなるように断面「ハ」の字状に角度を持った状態に形成される。【００５６】
その結果、清掃具１１の柄部材３を繊維束１３側が下になるように普通に手で持っただけで、細い繊維束１３aの端部及び太い繊維束１３ｂが、垂れ下がり、太い繊維束１３ｂが下に垂れ下がり、繊維束１３a、１３bが嵩高く形成される。【００５７】
すなわち、図１５に示す清掃具１１は、繊維束１３ｂの繊維を毛羽立てたり、清掃具全体を上下に振ったりして繊維束を嵩高くするための特別な操作を行う必要がない。単に清掃具用シート２０の保持部２２に保持部材１の脚部２を挿入するだけの状態で、清掃部となる清掃具用シートが、旧来の木綿などの撚糸を用いたモップ状の清掃具と良く似た嵩高い状態に形成されるという利点がある。【００５８】
図１５及び図１６に示す状態で、清掃具１１の脚部２と清掃具用シート２０の下面の清掃部を被清掃物品の表面に強く押しつけると、角度を持って形成されていた脚部２の中間部ｂが弾性によって撓み、角度のない水平な状態に容易に変形し、清掃具用シート２０も脚部２の形状に従って平面的な形状になって、清掃具用シート２０が厚みのある立体的な状態から厚みの薄い平面的な形状になる。【００５９】
このように清掃具１１の清掃具用シート２０の厚みが薄くなると、狭い隙間等にも清掃具用シート２０が入り込ませて、清掃を行うことが可能となる。【００６０】
そして、清掃具１１の脚部２の部分を被清掃物品に対して押し付けた状態を元に戻すと、脚部はその弾性により水平状態から角度を持った元の形状に戻り、清掃具用シート２０の部分は再度嵩高い状態に形成される。【００６１】
また図１５に示す清掃具１１は、清掃具用シート２０が細い繊維の繊維束１３aを構成する繊維が中央接合部17と点状接合部１７において接合し繊維の流れ方向両端が基材シート１２に接合していないことから、繊維束１３aの繊維が容易に垂れ下がり繊維束１３aの部分を嵩高く形成することができる。【００６２】
また清掃具用シート２０の繊維束１３aの流れ方向両端部が下方に垂れ下がり繊維の先端部分が基材シート１２から遊離して自由に動くため、塵や埃等の各種ごみの捕捉性能及びその保持性能に優れている。【００６３】
また清掃具用シート２０が、繊維束１３を細い繊維の繊維束１３ａと太い繊維の繊維束１３ｂとから構成したことにより、隙間の清掃に効果的である。【００６４】
図１６に示すように、太い繊維束１３ｂは腰があるために、コンピュータのキーボード等の細い隙間を有するものを清掃する場合、細い繊維は腰がないので隙間に入って行き難いが、太い繊維は腰があるから隙間に容易に入り込み、塵や埃等のごみを掻き出すことができる。【００６５】
そして掻き出されたごみは、細い繊維束１３ａが取り込むよう機能する。また太い繊維束１３ｂは、細い繊維束１３aの繊維が相互に絡み合うのを防止する機能もある。【００６６】
清掃具１１は、清掃具用シート２０が汚れた場合には、保持シート２１の挿入口２３から保持部材１の脚部２を抜き取り、汚れていない別の清掃具用シート２０と交換することができる。
【産業上の利用可能性】
【００６７】
本発明の清掃具及び清掃具を構成する保持部材は、家庭、工場、病院、店舗、車内等の様々な場所において、床、壁、窓、家具、家電製品、パソコン、照明器具、本棚、各種金属製品等の被清掃物の表面に当接して、拭き取り清掃に利用できるものであり、簡単な構造で効率的に埃や塵等のごみを拭き取り捕捉することができ、更に捕捉したごみを保持できる点で極めて有効なものである。
【図１】
2006011234.tif 000002
【図２】
2006011234.tif 000003
【図３】
2006011234.tif 000004
【図４】
2006011234.tif 000005
【図５】
2006011234.tif 000006
【図６】
2006011234.tif 000007
【図７】
2006011234.tif 000008
【図８】
2006011234.tif 000009
【図９】
2006011234.tif 000010
【図１０】
2006011234.tif 000011
【図１１】
2006011234.tif 000012
【図１２】
2006011234.tif 000013
【図１３】
2006011234.tif 000014
【図１４】
2006011234.tif 000015
【図１５】
2006011234.tif 000016
【図１６】
2006011234.tif 000017
【国際調査報告】
2006011234.tif 000018
2006011234.tif 000019